【事件の表示】
　商願２０１８−１６０９８拒絶査定不服審判事件について、次のとおり審決する。
【結　論】
　原査定を取り消す。
　本願商標は、登録すべきものとする。
【理　由】
１　本願商標
　本願商標は、「ＦＥＮＴＹ」の欧文字を標準文字で表してなり、第９類、第１４類、第１８類、第２４類、第２５類及び第３５類に属する願書記載の商品及び役務を指定商品及び指定役務として、平成３０年２月８日に登録出願されたものである。
　そして、願書記載の指定商品及び指定役務については、原審における令和元年７月４日受付の手続補正書及び当審における令和２年８月２８日受付の手続補正書により、最終的に、別掲１のとおりに補正されたものである。
２　原査定の拒絶の理由（要旨）
　原査定は、「本願商標は、次の（１）ないし（１２）の商標（以下、これらをまとめて「引用商標」という場合がある。）と類似するものであって、同一又は類似の商品及び役務について使用をするものであるから、商標法第４条第１項第１１号に該当する。」旨認定、判断し、本願を拒絶したものである。
（１）登録第１１７４２６２号商標（以下「引用商標１」という。）は、「ＦＥＮＤＩ」の欧文字を表してなり、昭和４７年１０月２３日に登録出願、第２２類に属する商標登録原簿に記載のとおりの商品を指定商品として、同５０年１２月１５日に設定登録、その後、平成１８年３月８日に指定商品を第１８類「傘，ステッキ，つえ，つえ金具，つえの柄」及び第２５類「履物」とする指定商品の書換登録がされ、さらに、同２７年６月２３日に商標権の存続期間の更新登録がされ、現に有効に存続しているものである。
（２）登録第１１８５５４６号商標（以下「引用商標２」という。）は、「ＦＥＮＤＩ」の欧文字を表してなり、昭和４７年１１月１６日に登録出願、第１７類に属する商標登録原簿に記載のとおりの商品を指定商品として、同５１年２月１９日に設定登録、その後、平成１８年４月１２日に指定商品を第２５類「被服」とする指定商品の書換登録がされ、さらに、同２８年２月２日に商標権の存続期間の更新登録がされ、現に有効に存続しているものである。
（３）登録第１３６２５９８号商標（以下「引用商標３」という。）は、「ＦＥＮＤＩ」の欧文字を表してなり、昭和４７年１０月２３日に登録出願、第２１類に属する商標登録原簿に記載のとおりの商品を指定商品として、同５３年１１月３０日に設定登録、その後、平成２１年４月８日に指定商品を第３類「つけづめ，つけまつ毛」、第１４類「身飾品，宝玉及びその模造品」及び第２６類「腕止め，衣服用き章（貴金属製のものを除く。），衣服用バッジ（貴金属製のものを除く。），衣服用バックル，衣服用ブローチ，帯留，ボンネットピン（貴金属製のものを除く。），ワッペン，腕章，頭飾品，ボタン類，造花（「造花の花輪」を除く。），つけあごひげ，つけ口ひげ，ヘアカーラー（電気式のものを除く。）」とする指定商品の書換登録がされ、さらに、同３０年７月１０日に商標権の存続期間の更新登録がされ、現に有効に存続しているものである。
（４）登録第１４１１１４３号商標（以下「引用商標４」という。）は、「ＦＥＮＤＩ」の欧文字を表してなり、昭和４７年１１月１６日に登録出願、第２１類に属する商標登録原簿に記載のとおりの商品を指定商品として、同５５年３月２８日に設定登録、その後、平成２２年３月２４日に指定商品を第１４類「身飾品，宝玉及びその模造品」、第１８類「かばん類，袋物，携帯用化粧道具入れ」、第２１類「化粧用具（「電気式歯ブラシ」を除く。）」、第２５類「ガーター，靴下止め，ズボンつり，バンド，ベルト」及び第２６類「腕止め，頭飾品，ボタン類」とする指定商品の書換登録がされ、さらに、令和２年１月２４日に商標権の存続期間の更新登録がされ、現に有効に存続しているものである。
（５）登録第１４１２０５１号商標（以下「引用商標５」という。）は、「ＦＥＮＤＩ」の欧文字を表してなり、昭和５１年７月６日に登録出願、第２０類に属する商標登録原簿に記載のとおりの商品を指定商品として、同５５年３月２８日に設定登録、その後、平成２２年６月２日に指定商品を第２０類「家具」を含む第２０類、第２１類、第２２類、第２４類及び第２７類に属する商標登録原簿の記載のとおりの商品を指定商品とする書換登録がされ、さらに、令和２年１月２４日に商標権の存続期間の更新登録がされ、現に有効に存続しているものである。
（６）登録第１４８１８２８号商標（以下「引用商標６」という。）は、「ＦＥＮＤＩ」の欧文字を表してなり、昭和５１年８月１０日に登録出願、第２３類に属する商標登録原簿に記載のとおりの商品を指定商品として、同５６年９月３０日に設定登録、その後、平成１４年５月２９日に指定商品を第９類「眼鏡」及び第１４類「時計」とする指定商品の書換登録がされ、さらに、同２３年４月１９日に商標権の存続期間の更新登録がされ、現に有効に存続しているものである。
（７）登録第１９２６４２２号商標（以下「引用商標７」という。）は、「ＦＥＮＤＩ」の欧文字及び「フェンディ」の片仮名を上下二段に書してなり、昭和５９年７月１９日に登録出願、第４類に属する商標登録原簿に記載のとおりの商品を指定商品として、同６２年１月２８日に設定登録、その後、平成２０年７月２日に指定商品を第３類「せっけん類，歯磨き，化粧品，植物性天然香料，動物性天然香料，合成香料，調合香料，精油からなる食品香料，薫料」とする指定商品の書換登録がされ、さらに、同２９年１月２４日に商標権の存続期間の更新登録がされ、現に有効に存続しているものである。
（８）登録第１９７７９３７号商標（以下「引用商標８」という。）は、「ＦＥＮＤＩ」の欧文字及び「フェンディ」の片仮名を上下二段に書してなり、昭和５９年１１月２１日に登録出願、第２３類に属する商標登録原簿に記載のとおりの商品を指定商品として、同６２年８月１９日に設定登録、その後、平成２０年７月２日に指定商品を第９類「眼鏡」及び第１４類「時計」とする指定商品の書換登録がされ、さらに、同２９年６月２７日に商標権の存続期間の更新登録がされ、現に有効に存続しているものである。
（９）登録第２１４１３８６号商標（以下「引用商標９」という。）は、「ＦＥＮＤＩ」の欧文字を表してなり、昭和５９年４月１１日に登録出願、第１６類に属する商標登録原簿に記載のとおりの商品を指定商品として、平成元年５月３０日に設定登録、その後、同２１年９月２日に指定商品を第２４類「織物，メリヤス生地，フェルト，不織布，オイルクロス，ゴム引防水布，ビニルクロス，ラバークロス，レザークロス，ろ過布」とする指定商品の書換登録がされ、さらに、同３１年２月５日に商標権の存続期間の更新登録がされ、現に有効に存続しているものである。
（１０）国際登録第８８１４１０号商標（以下「引用商標１０」という。）は、「Ｆｅｎｄｉ」の欧文字を表してなり、２００５年（平成１７年）１２月３０日に国際商標登録出願、第１８類「Leather and imitations of leather, and goods made of these materials and not included in other classes; animal skins, hides; trunks and travelling bags; umbrellas, parasols and walking sticks; whips, harness and saddlery.」及び第２５類「Clothing, footwear, headgear.」並びに第９類、第１４類、第３５類及び第３８類に属する国際登録に基づく商標権に係る商標登録原簿記載のとおりの商品及び役務を指定商品及び指定役務として、平成１９年１２月２８日に設定登録、その後、同２７年１１月５日に指定商品及び指定役務中、第９類及び第１４類の全ての指定商品について、一部抹消の登録がされ、同２８年２月３日に商標権の存続期間の更新登録がされ、現に有効に存続しているものである。
（１１）国際登録第１１３０２４３号商標（以下「引用商標１１」という。）は、「ＦＥＮＤＩ」の欧文字を表してなり、２０１２年（平成２４年）６月６日に国際商標登録出願、別掲２のとおりの商品及び役務を指定商品及び指定役務として、平成２７年９月４日に設定登録され、現に有効に存続しているものである。
（１２）国際登録第１３０８３１０号商標（以下「引用商標１２」という。）は、「ＦＥＮＤＩ」の欧文字を表してなり、２０１６年７月１日にＥＵＩＰＯにおいてした商標登録出願に基づき、パリ条約第４条による優先権を主張して、２０１６年（平成２８年）７月１１日に国際商標登録出願、第１８類「shoulder straps for handbags.」を指定商品として、平成２９年２月１０日に設定登録され、現に有効に存続しているものである。
３　当審の判断
（１）本願商標
　本願商標は、「ＦＥＮＴＹ」の欧文字を標準文字で表してなるところ、当該欧文字は、辞書等に載録された成語ではなく、また、本願の指定商品及び指定役務を取り扱う分野において特定の意味合いを表す語として使用されている実情も見受けられないことから、本願商標は、特定の意味合いを有しない造語を表したものといえる。そうすると、一般的に、特定の意味又は特定の読みを有しない欧文字にあっては、これに接する取引者、需要者は、我が国において親しまれた外国語である英語読み又はローマ字読みをもって称呼するとみられるところ、本願商標からは、英語読み風の「フェンティ」の称呼を生じ、また、特定の観念は生じない。
（２）引用商標
　ア　引用商標１ないし引用商標６、引用商標９、引用商標１１及び引用商標１２は、「ＦＥＮＤＩ」の欧文字を横書きしてなり、また、引用商標１０は、「Ｆｅｎｄｉ」の欧文字を横書きしてなるところ（以下、これらをまとめて「引用商標Ａ」という。）、当該欧文字は、辞書等に載録された成語ではなく、また、本願の指定商品及び指定役務を取り扱う分野において特定の意味合いを表す語として使用されている実情も見受けられないことから、引用商標Ａは、特定の意味合いを有しない造語を表したものといえる。そうすると、一般的に、特定の意味又は特定の読みを有しない欧文字にあっては、これに接する取引者、需要者は、我が国において親しまれた外国語である英語読み又はローマ字読みをもって称呼するとみられるところ、引用商標Ａからは、英語読み風の「フェンディ」の称呼を生じ、また、特定の観念は生じない。
　イ　引用商標７及び引用商標８（以下、これらをまとめて「引用商標Ｂ」という。）は、「ＦＥＮＤＩ」の欧文字と「フェンディ」の片仮名を上下２段に横書きしてなるところ、その構成中の下段の「フェンディ」の片仮名は、上段の「ＦＥＮＤＩ」の欧文字の読みを特定したものと容易に理解されるものであり、また、その構成中の欧文字は、辞書等に載録された成語ではなく、さらに、本願の指定商品及び指定役務を取り扱う分野において特定の意味合いを表す語として使用されている実情も見受けられないことから、引用商標Ｂからは、「フェンディ」の称呼を生じ、また、特定の観念は生じない。
（３）本願商標と引用商標の類否
　本願商標と引用商標Ａとは、語頭に「ＦＥＮ（Ｆｅｎ）」の欧文字を有している点を共通にするとしても、５文字の構成文字中、語尾の２文字の「ＴＹ」と「ＤＩ（ｄｉ）」という異なるつづりの文字を有する点において相違するものであるから、外観上、判然と区別し得る。
　本願商標と引用商標Ｂとは、欧文字部分において語頭に「ＦＥＮ」の欧文字を有している点を共通にするとしても、欧文字の５文字の構成文字中、語尾の２文字「ＴＹ」と「ＤＩ」という異なるつづりの文字を有する点、「フェンディ」の片仮名の有無、及び一段書きか二段書きかの差異を有するものであるから、外観上、判然と区別し得る。
　また、本願商標より生じる「フェンティ」の称呼と、引用商標より生じる「フェンディ」の称呼とを比較すると、両者は、語尾における「ティ」と「ディ」の音の差異を有するものであって、３音という極めて短い音構成におけるこの差異が全体の称呼に与える影響は決して小さいとはいえず、両者をそれぞれ一連に称呼しても語調、語感が相違し、称呼上聴き誤るおそれのないものと判断するのが相当である。 
　さらに、本願商標及び引用商標は、特定の観念を生じ得ない造語と認められるものであるから、両者は観念上比較し得ないものである。
　そうすると、本願商標と引用商標とは、観念上比較し得ないものであるとしても、外観及び称呼において相紛れるおそれのないものであるから、両者の外観、称呼及び観念等によって取引者、需要者に与える印象、記憶、連想等を総合して全体的に考察すれば、両者は非類似の商標と判断するのが相当である。
　以上のとおり、本願商標と引用商標とは非類似の商標であるから、両商標の指定商品及び指定役務の類否について判断するまでもなく、本願商標は、商標法第４条第１項第１１号に該当しない。
　その他、本願について拒絶の理由を発見しない。
　よって、結論のとおり審決する。